(57)【要約】【課題】隣り合うコネクタ間のスペースを十分小さく抑えて、小型化する。【解決手段】底板12上に、コネクタの厚さに相当する間隔をおいて複数枚の壁14A、14B、14Cを立設してコネクタ差込凹部16を形成する。一端側の壁14Aと中間の壁14Bに第一の弾性支持片40を立設し、他端側の壁14Cと中間の壁14Bに、第一の弾性支持片14Aからコネクタのフランジ部の厚さに相当する間隔だけ離して第二の弾性支持片42を立設する。第一の弾性支持片40の先端部に、他端側の壁14Cの方に向けて第一の係止爪44を突設し、第二の弾性支持片42の先端部に、反対側に向けて第二の係止爪46を突設する。弾性支持片40、42は、中間の壁14Bの厚さの範囲内で、それぞれ係止爪44、46と反対側へ反り返るように弾性変形可能である。コネクタのフランジ部を筋向かいの位置関係にある第一と第二の係止爪44、46の側面で挟み、第二の係止爪46でコネクタの壁高さ方向への抜け出しを抑える。【選択図】図１
2007121365.tif 000002
【特許請求の範囲】
【請求項１】
保持される部分の断面が矩形で、コネクタの厚さに相当する二つの面に互いに反対向きにフランジ部（３６）が突設されているコネクタ（１８）を、複数並べて保持するコネクタホルダーであって、
底板（１２）上に、コネクタ（１８）の厚さに相当する間隔をおいて複数枚の壁（１４Ａ、１４Ｂ、１４Ｃ）を立設することにより複数のコネクタ差込凹部（１６）が形成され、前記各壁には幅方向の中間部に切欠き部（３８）が形成されており、
一端側の壁（１４Ａ）と中間の壁（１４Ｂ）の前記切欠き部（３８）内に、壁の幅方向の同じ位置に揃うように第一の弾性支持片（４０）が立設され、他端側の壁（１４Ｃ）と中間の壁（１４Ｂ）の前記切欠き部（３８）内に、前記第一の弾性支持片（４０）から壁の幅方向にコネクタのフランジ部（３６）の厚さに相当する間隔だけ離して第二の弾性支持片（４２）が立設されており、
前記第一の弾性支持片（４０）の先端部には、前記他端側の壁（１４Ｃ）の方に向けて第一の係止爪（４４）が突設され、前記第二の弾性支持片（４２）の先端部には、前記一端側の壁（１４Ａ）の方に向けて第二の係止爪（４６）が突設されており、
第一及び第二の弾性支持片（４０、４２）の厚さは中間の壁（１４Ｂ）の厚さよりも薄く、中間の壁（１４Ｂ）に形成された第一の弾性支持片（４０）は中間の壁の厚さの範囲の前記他端側の壁（１４Ｃ）の方へ片寄った位置にあり、第二の弾性支持片（４２）は中間の壁の厚さの範囲の前記一端側の壁（１４Ａ）の方へ片寄った位置にあって、それぞれ前記係止爪（４４、４６）と反対側へ反り返るように弾性変形可能になっており、
さらに、前記底板（１２）の第一と第二の弾性支持片（４０、４２）の間に相当する位置には、コネクタ（１８）の一方のフランジ部（３６）が嵌合する穴（４８）が形成されており、
前記コネクタ差込凹部（１６）に差し込まれたコネクタ（１８）の、一方のフランジ部（３６）を前記穴（４８）に嵌合させ、他方のフランジ部（３６）を筋向かいの位置関係にある第一と第二の係止爪（４４、４６）の側面（Ｓ、Ｔ）で挟み、第一及び／又は第二の係止爪（４４、４６）でコネクタ（１８）の壁高さ方向への抜け出しを抑えて、コネクタ（１８）を保持することを特徴とするコネクタホルダー。
【請求項２】
コネクタ（１８）が、前記フランジ部（３６）を有する雌側コネクタ（２４）と、この雌側コネクタに挿入される雄側コネクタ（２６）とで構成されており、雌側コネクタと接続されない接続待ちの雄側コネクタ（２６）が存在する場合には、前記雌側コネクタ（２４）のコネクタホルダーに保持される部分と同じ形状の雄側コネクタ仮保持具（５０）によって、前記接続待ちの雄側コネクタ（２６）を保持するようになっていることを特徴とする請求項１記載のコネクタホルダー。
【発明の詳細な説明】
【技術分野】
【０００１】
本発明は、光伝送線（光コード又は光ファイバ心線等）を接続するコネクタを、複数並べて保持するコネクタホルダーに関するものである。
【背景技術】
【０００２】
集合住宅などで、光伝送線を各戸に引き込む場合には、集合住宅の入口などに設置された配線盤などに、局側の光伝送線と加入者側の光伝送線を接続するコネクタが多数配設される。これらのコネクタを配設する場合は、できるだけスペースをとらずに、整然と、しかも簡単に着脱できるようにすることが望まれる。
【０００３】
特許文献１には、複数のコネクタを並べて保持するコネクタホルダーが開示されている。このコネクタホルダーは、コネクタの両端部を両側から挟持爪で挟持する方式である。
【０００４】
【特許文献１】特開平１１−２３９０３号公報
【発明の開示】
【発明が解決しようとする課題】
【０００５】
特許文献１に開示されているコネクタホルダーは、コネクタ毎に、コネクタの両端部に挟持爪を設ける必要があるため、隣り合うコネクタ間のスペースが大きくなり、全体として大型になるという難点がある。
【０００６】
本発明の目的は、隣り合うコネクタ間のスペースを十分小さく抑えることができる、コンパクトなコネクタホルダーを提供することにある。
【課題を解決するための手段】
【０００７】
本発明に係るコネクタホルダーは、保持される部分の断面が矩形で、コネクタの厚さに相当する二つの面に互いに反対向きにフランジ部が突設されているコネクタを、複数並べて保持するコネクタホルダーであって、
底板上に、コネクタの厚さに相当する間隔をおいて複数枚の壁を立設することにより複数のコネクタ差込凹部が形成され、前記各壁には幅方向の中間部に切欠き部が形成されており、
一端側の壁と中間の壁の前記切欠き部内に、壁の幅方向の同じ位置に揃うように第一の弾性支持片が立設され、他端側の壁と中間の壁の前記切欠き部内に、前記第一の弾性支持片から壁の幅方向にコネクタのフランジ部の厚さに相当する間隔だけ離して第二の弾性支持片が立設されており、
前記第一の弾性支持片の先端部には、前記他端側の壁の方に向けて第一の係止爪が突設され、前記第二の弾性支持片の先端部には、前記一端側の壁の方に向けて第二の係止爪が突設されており、
第一及び第二の弾性支持片の厚さは中間の壁の厚さよりも薄く、中間の壁に形成された第一の弾性支持片は中間の壁の厚さの範囲の前記他端側の壁の方へ片寄った位置にあり、第二の弾性支持片は中間の壁の厚さの範囲の前記一端側の壁の方へ片寄った位置にあって、それぞれ前記係止爪と反対側へ反り返るように弾性変形可能になっており、
さらに、前記底板の第一と第二の弾性支持片の間に相当する位置には、コネクタの一方のフランジ部が嵌合する穴が形成されており、
前記コネクタ差込凹部に差し込まれたコネクタの、一方のフランジ部を前記穴に嵌合させ、他方のフランジ部を筋向かいの位置関係にある第一と第二の係止爪の側面で挟み、第一及び／又は第二の係止爪でコネクタの壁高さ方向への抜け出しを抑えて、コネクタを保持することを特徴とするものである。
【０００８】
本発明に係るコネクタホルダーに保持されるコネクタが、前記フランジ部を有する雌側コネクタと、この雌側コネクタに挿入される雄側コネクタとで構成されており、雌側コネクタと接続されない接続待ちの雄側コネクタが存在する場合には、前記雌側コネクタのコネクタホルダーに保持される部分と同じ形状の雄側コネクタ仮保持具によって、前記接続待ちの雄側コネクタを保持するようにするとよい。
【発明の効果】
【０００９】
本発明によれば、コネクタ差込凹部にコネクタを差し込むときは、弾性支持片が係止爪と反対側へ反り返るように弾性変形するため、簡単にコネクタを差し込むことができる。差し込み後は弾性支持片が元の位置に戻って、筋向かいの位置関係にある係止爪の側面がコネクタのフランジ部を挟むと共に、前記係止爪がコネクタの壁高さ方向への移動を規制する。したがって、壁の幅方向及び高さ方向へのコネクタの移動を阻止できる。またコネクタ差込凹部からコネクタを取り出すときは、弾性支持片を係止爪と反対側へ弾性変形させながら引き抜けばよいので、取り外しも容易である。
【００１０】
また、弾性支持片は壁の厚さの範囲内で弾性変形可能になっているため、隣り合うコネクタ間のスペースは中間の壁１枚分の厚さだけで済むことになり、コネクタの配列ピッチを十分小さくすることができる。したがって、全体として小型な、設置スペースの小さいコネクタホルダーを得ることができる。
【００１１】
また、コネクタが、雌側コネクタと雄側コネクタとで構成されるときは、フランジ部は通常、コネクタハウジングが外側になる雌側コネクタの方に形成されることになるが、このようなコネクタで、雄側コネクタが雌側コネクタと接続されない接続待ちの状態になる場合（例えば雄側コネクタが局側のコネクタ、雌側コネクタが加入者側のコネクタで、加入者数の増加を見込んで局側のコネクタが多く設置されている場合）は、雌側コネクタのコネクタホルダーに保持される部分と同じ形状の雄側コネクタ仮保持具を用いることによって、接続待ちの雄側コネクタを保持することができる。
【発明を実施するための最良の形態】
【００１２】
図１は本発明に係るコネクタホルダーの一実施形態を示す。このコネクタホルダー１０は、長方形の底板１２上に、長手方向にコネクタの厚さに相当する間隔をおいて複数枚の壁１４を立設することにより複数のコネクタ差込凹部１６を形成したものである。なお、ここでは、一端側の壁１４Ａと、中間の壁１４Ｂと、他端側の壁１４Ｃを総称するときは、単に壁１４と記す。
【００１３】
このコネクタホルダー１０に保持されるコネクタの代表的な例を図２及び図３に示す。このコネクタ１８は、光伝送線（光コード等）２０と２２を接続するもので、一方の光伝送線２０の端部に取り付けられた雌側コネクタ２４と、他方の光伝送線２２の端部に取り付けられた雄側コネクタ２６とで構成される。図２は雌側コネクタ２４と雄側コネクタ２６を接続する前の状態を、図３は接続した後の状態を示す。雌側コネクタ２４と雄側コネクタ２６は、雄側コネクタ２６の両側の弾性連結片２８を、雌側コネクタ２４の先端の箱形枠部３０内に挿入し、前記弾性連結片２８の先端のフック部３２を、前記箱形枠部３０の両側の開口部３４の縁に引っ掛けることで、接続状態が保たれるようになっている。
【００１４】
このコネクタ１８は、図３のように接続した状態で、雌側コネクタ２４の箱形枠部３０と、その両側に互いに反対向き突設されたフランジ部３６とを、図１のコネクタホルダー１０によって保持される。つまりコネクタ１８は、コネクタホルダーに保持される部分の断面が矩形で、コネクタ１８の厚さに相当する二つの面Ｐ、Ｑに、互いに反対向きにフランジ部３６が突設されているものである。
【００１５】
なお、本発明のコネクタホルダーに保持されるコネクタは、図２及び図３に示したコネクタに限られるものではなく、コネクタホルダーに保持される部分の断面が矩形で、コネクタの厚さに相当する二つの面に、互いに反対向きにフランジ部が突設されているものであれば、どのようなコネクタであってもよい。
【００１６】
図３のように接続されたコネクタ１８を、図１のコネクタホルダー１０のコネクタ差込凹部１６の一つに差し込んで保持すると、図４のようになる。以下、図１及び図４を参照して、コネクタホルダー１０の構成を説明する。
【００１７】
底板１２上に立設された複数枚の壁１４にはそれぞれ、幅方向の中間部に切欠き部３８が形成されている。一端側の壁１４Ａと中間（両端以外）の壁１４Ｂの前記切欠き部３８内には、壁の幅方向の同じ位置に揃うように第一の弾性支持片４０が立設されている。また他端側の壁１４Ｃと中間の壁１４Ｂの前記切欠き部３８内には、前記第一の弾性支持片４０から壁の幅方向にコネクタのフランジ部３６の厚さに相当する間隔だけ離して第二の弾性支持片４２が立設されている。
【００１８】
また、第一の弾性支持片４０の先端部には、前記他端側の壁１４Ｃの方に向かって突出する第一の係止爪４４が形成され、第二の弾性支持片４２の先端部には、前記一端側の壁１４Ａの方に向かって突出する第二の係止爪４６が形成されている。
【００１９】
第一及び第二の弾性支持片４０、４２の厚さは、図４（Ｄ）に示すように基部から先端部にいくに従い徐々に薄くなっているが、全ての部分で中間の壁１４Ｂの厚さよりも薄くなっている。両端の壁１４Ａ、１４Ｃの厚さは、中間の壁１４Ｂの厚さよりも薄く、第一及び第二の弾性支持片４０、４２の基部の厚さとほぼ同じである。中間の壁１４Ｂに形成された第一の弾性支持片４０は、中間の壁１４Ｂの厚さの範囲の前記他端側の壁１４Ｃの方へ片寄った位置にある。逆に第二の弾性支持片４２は、中間の壁１４Ｂの厚さの範囲の前記一端側の壁１４Ａの方へ片寄った位置にある。これにより、第一の弾性支持片４０は、壁１４Ｂの厚さの範囲内で、第一の係止爪４４と反対側へ（一端側の壁１４Ａの方へ）反り返るように弾性変形可能となっている。また第二の弾性支持片４２は、壁１４Ｂの厚さの範囲内で、第二の係止爪４６と反対側へ（他端側の壁１４Ｃの方へ）反り返るように弾性変形可能となっている。
【００２０】
また、底板１２の、第一と第二の弾性支持片４０、４２の間に相当する位置には、コネクタ１８の一方のフランジ部３６が嵌合する穴４８が形成されている。
【００２１】
以上のように構成されたコネクタホルダー１０に、コネクタ１８を保持させるときは、コネクタ１８をコネクタ差込凹部１６に押し込んでいけば、当該差込凹部１６側に係止爪４４、４６が突出している１対の弾性支持片４０、４２が、コネクタ１８に押し退けられて、係止爪４４、４６と反対側へ反り返るように弾性変形するため、簡単にコネクタを押し込むことができる。コネクタ１８を最後まで押し込んで、一方のフランジ部３６を底板１２の穴４８に嵌合させると、コネクタ１４の上面が係止爪４４、４６を通過するので、弾性支持片４０、４２が元の位置に戻って、図４（Ａ）に示すように、筋向かいの位置関係にある第一と第二の係止爪４４、４６が、各々の内側の側面Ｓ、Ｔでコネクタ１８の他方のフランジ部３６を挟む状態となる。このためコネクタ１８は壁の幅方向（コネクタ１８の軸線方向）への移動を規制される。また同時に、第一及び第二の係止爪４４、４６がコネクタ１８の上に被さり、第二の係止爪４６が箱形枠部３０に引っ掛かる状態となるため、コネクタ１８は壁高さ方向への移動（抜け出し）を規制される。したがってコネクタ１８は所定の位置に保持されることになる。
【００２２】
また、コネクタ差込凹部１６からコネクタ１８を取り出すときは、コネクタ１８を壁高さ方向へ強く引き抜けば、係止爪４４、４６が押し退けられて両側の弾性支持片４０、４２が弾性変形するので、簡単に取り出すことができる。
【００２３】
このコネクタホルダー１０は、コネクタ１８を保持する弾性支持片４０、４２が壁１４Ｂの厚さの範囲内で弾性変形可能になっているため、コネクタ１６の配列ピッチを十分小さくすることができ、全体を小型化できる。
【００２４】
ところで、集合住宅の配線盤などで、局側の光伝送線と加入者側の光伝送線とをコネクタ接続する場合、局側の光伝送線は将来の加入者の増加を見込んだ本数だけ配線されるのに対し、加入者側の光伝送線は実際の加入者数と同じ本数しか配線されないため、局側の光伝送線に取り付けられた雄側コネクタに、加入者側の光伝送線に取り付けられた雌側コネクタと接続されない接続待ちの状態が発生することが多い。このような場合には、図１及び図５に示すように、接続待ちとなる雄側コネクタ２６に、前記雌側コネクタ２４のコネクタホルダーに保持される部分（箱形枠部３０及びフランジ部３６）と同じ形状の雄側コネクタ仮保持具５０を装着し、この雄側コネクタ仮保持具５０をコネクタホルダー１０に保持させるとよい。なお図１及び図５において、図４の部分と同じ部分又は図４の部分に相当する部分には図４と同じ符号を付してあるので、それらの部分の説明は省略する。
【００２５】
図６は、図１のコネクタホルダー１０に、雌側コネクタ２４と雄側コネクタ２６を接続してなるコネクタ１８を保持させると共に、雌側コネクタが接続されない接続待ちの雄側コネクタ２６を仮保持具５０装着した状態で保持させた例を示す。図６において、５２は局側の１本の光伝送線、５４は光スプリッタ、２２は光スプリッタ５４で分岐された複数本の光伝送線、２６は各光伝送線２２に取り付けられた雄側コネクタ、２０は加入者側の光伝送線、２４は加入者側の光伝送線２０に取り付けられた雌側コネクタである。
【図面の簡単な説明】
【００２６】
【図１】本発明に係るコネクタホルダーの一実施形態を示す斜視図。
【図２】図１のコネクタホルダーに保持されるコネクタの、接続前の状態を示す（Ａ）は一部切開正面図、（Ｂ）は平面図。
【図３】図２のコネクタの、接続後の状態を示す（Ａ）は正面図、（Ｂ）は平面図。
【図４】図１のコネクタホルダーに図３のコネクタを保持させた状態を示す（Ａ）は平面図、（Ｂ）は（Ａ）のＢ−Ｂ線断面図、（Ｃ）は（Ｂ）のＣ−Ｃ線断面図、（Ｄ）は（Ａ）のＤ−Ｄ線断面図。
【図５】図１のコネクタホルダーに、雌側コネクタと接続されない接続待ちの雄側コネクタを保持させた状態を示す（Ａ）は平面図、（Ｂ）は（Ａ）のＢ−Ｂ線断面図、（Ｃ）は（Ｂ）のＣ−Ｃ線断面図、（Ｄ）は（Ａ）のＤ−Ｄ線断面図。
【図６】図１のコネクタホルダーの使用状態の一例を示す平面図。
【符号の説明】
【００２７】
１０：コネクタホルダー
１２：底板
１４Ａ：一端側の壁
１４Ｂ：中間の壁
１４Ｃ：他端側の壁
１６：コネクタ差込凹部
１８：コネクタ
２０、２２：接続すべき光伝送線
２４：雌側コネクタ
２６：雄側コネクタ
３０：箱形枠部
３６：フランジ部
３８：切欠き部
４０：第一の弾性支持片
４２：第二の弾性支持片
４４：第一の係止爪
４６：第二の係止爪
４８：穴
５０：雄側コネクタ仮保持具
Ｐ、Ｑ：コネクタ１８の厚さに相当する面
Ｓ：第一の係止爪４４の側面
Ｔ：第二の係止爪４６の側面
【図１】
2007121365.tif 000003
【図２】
2007121365.tif 000004
【図３】
2007121365.tif 000005
【図４】
2007121365.tif 000006
【図５】
2007121365.tif 000007
【図６】
2007121365.tif 000008